【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
処理中のデータの保存先を示す位置情報と、前記データに関する処理状況を示す進行情報と、前記データの処理に関わる設定を示す設定情報と、を含む引継情報を生成する生成手段と、
無線通信装置との近距離無線通信の確立に応じて、前記引継情報を前記無線通信装置に出力する出力手段とを有することを特徴とする情報処理装置。
【請求項２】
無線通信装置との近距離無線通信の確立に応じて、前記無線通信装置から引継情報を取得する取得手段と、前記取得手段により取得した引継情報に含まれる位置情報に基づいてデータを受信する受信手段と、前記引継情報の内容に基づいて前記受信手段により取得したデータを処理する処理手段とを有することを特徴とする情報処理装置。
【請求項３】
前記データは印刷データであり、前記位置情報は当該印刷データの保存先を示し、前記進行情報は前記印刷データの印刷処理の状況を示し、前記設定情報は前記印刷処理の設定であり、前記生成手段は印刷エラーの発生に応じて前記引継情報を生成することを特徴とする請求項１に記載の情報処理装置。
【請求項４】
前記進行情報は、印刷エラーが発生したページを示す情報を含むことを特徴とする請求項３に記載の情報処理装置。
【請求項５】
前記進行情報は、印刷エラーが発生するまでに出力を完了したページを示す情報を含むことを特徴とする請求項３に記載の情報処理装置。
【請求項６】
第１の情報処理装置との近距離無線通信の確立に応じて、第１の情報処理装置によるデータ処理の状況を示す引継情報を取得する取得手段と、
取得した引継情報を記憶する記憶手段と、
第２の情報処理装置との近距離無線通信の確立に応じて、前記引継情報を当該第２の情報処理装置へ送信することで、前記第１の情報処理装置によるデータ処理を引き継がせる送信手段とを有することを特徴とする情報処理装置。
【請求項７】
前記受信手段により取得したデータは印刷を行う対象の印刷データであり、前記処理手段は前記引継情報の内容に基づいて未印刷と判断できる印刷データを印刷することを特徴とする請求項２に記載の情報処理装置。
【請求項８】
前記受信手段は、前記引継情報の内容に基づいて未印刷と判断できる印刷データを受信の対象とすることを特徴とする請求項２又は７に記載の情報処理装置。
【請求項９】
前記データは印刷データであり、前記位置情報は当該印刷データの保存先を示し、前記進行情報は前記印刷データの印刷処理の状況を示し、前記設定情報は前記印刷処理の設定であり、前記生成手段は印刷の中断の要求に応じて前記引継情報を生成することを特徴とする請求項１に記載の情報処理装置。
【請求項１０】
前記位置情報は再生処理の対象の動画データまたは音声データの保存先を示し、前記進行情報は前記再生処理の進行状況を示し、前記設定情報は動画再生の引継要求が発生した際の動画再生の設定であり、前記生成手段は前記引継要求に応じて前記引継情報を生成することを特徴とする請求項１に記載の情報処理装置。
【請求項１１】
前記進行情報は、動画または音声について冒頭からの経過時間であることを特徴とする請求項１０に記載の情報処理装置。
【請求項１２】
前記データは動画データまたは音声データであり、前記処理手段は前記引継情報の内容に基づいて、前記動画データまたは前記音声データを再生することを特徴とする請求項２に記載の情報処理装置。
【請求項１３】
処理中のデータの保存先を示す位置情報と、前記データに関する処理状況を示す進行情報と、前記データの処理に関わる設定を示す設定情報と、を含む引継情報を生成する生成工程と、
無線通信装置との近距離無線通信の確立に応じて、前記引継情報を前記無線通信装置に出力する出力工程とを有することを特徴とする情報処理装置の制御方法。
【請求項１４】
無線通信装置との近距離無線通信の確立に応じて、前記無線通信装置から引継情報を取得する取得工程と、前記取得工程により取得した引継情報に含まれる位置情報に基づいてデータを受信する受信工程と、前記引継情報の内容に基づいて前記受信工程により取得したデータを処理する処理工程とを有することを特徴とする情報処理装置の制御方法。
【請求項１５】
第１の情報処理装置との近距離無線通信の確立に応じて、第１の情報処理装置によるデータ処理の状況を示す引継情報を取得する取得工程と、
取得した引継情報を記憶手段に記憶する記憶工程と、
第２の情報処理装置との近距離無線通信の確立に応じて、前記引継情報を当該第２の情報処理装置へ送信することで、前記第１の情報処理装置によるデータ処理を引き継がせる送信工程とを有することを特徴とする情報処理端末の制御方法。
【請求項１６】
情報処理装置であって、
データを処理する処理手段と、
前記情報処理装置と無線通信装置との距離が近づくことにより通信が開始される近距離無線通信を行う第１通信手段と、
前記データを通信する通信手段であって、前記第１通信手段と異なる第２通信手段と、前記処理手段による前記データの処理がエラーとなった際に前記第１通信手段により無線通信装置と通信を開始した場合、前記情報処理装置と通信するためのアドレス情報含む第１情報を、前記無線通信装置に、前記第１通信手段を用いて送信する送信手段と、
前記送信手段による前記第１情報の送信の後に、前記無線通信装置との近距離無線通信により前記第１情報を取得した前記他の情報処理装置から前記アドレス情報を宛先とした通信において前記データを要求された場合、前記データを前記他の情報処理装置に処理させるために、前記データを前記他の情報処理装置に、前記第２通信手段を用いて転送する転送手段と、
を有することを特徴とする情報処理装置。
【請求項１７】
情報処理装置であって、
前記情報処理装置と無線通信装置との距離が近づくことにより通信が開始される近距離無線通信を行う第１通信手段と、
前記第１通信手段と異なる第２通信手段と、
前記第１通信手段により無線通信装置と通信を開始した場合、他の情報処理装置からのデータの処理要求を示す情報であって、前記他の情報処理装置と通信するためのアドレス情報含む第１情報を、前記無線通信装置から、前記第１通信手段を用いて受信する受信手段と、
前記受信手段による前記第１情報の受信の後に、前記アドレス情報を宛先とした通信において前記データを要求し、当該要求に応じて、前記データを前記他の情報処理装置から前記第２通信手段を用いて取得する取得手段と、
前記取得手段により取得した前記データを処理する処理手段と、
を有することを特徴とする情報処理装置。
【請求項１８】
前記処理手段は、前記データを印刷する印刷処理を行うことを特徴とする請求項１６または１７に記載の情報処理装置。
【請求項１９】
前記第１情報には、前記データの処理がエラーとなった前記データのページに関する情報が含まれることを特徴とする請求項１６乃至１８のいずれか１項に記載の情報処理装置。
【請求項２０】
前記第１情報には、前記データの処理を開始すべき前記データページに関する情報が含まれることを特徴とする請求項１６乃至１９のいずれか１項に記載の情報処理装置。
【請求項２１】
前記第１情報には、前記データを印刷するための印刷設定に関する情報が含まれることを特徴とする請求項１６乃至２０のいずれか１項に記載の情報処理装置。
【請求項２２】
情報処理装置であって、
動画を再生する再生手段と、
近距離無線通信を行う通信手段と、
前記再生手段により前記動画を再生している際に前記通信手段により通信を開始した場合、前記通信手段により通信を開始した際の前記再生手段による前記動画の再生の進行に基づく再生位置を示す情報を前記通信手段により送信する送信手段と、
を有することを特徴とする情報処理装置。
【請求項２３】
前記送信手段により送信される情報には、前記動画を特定するための情報が含まれることを特徴とする請求項２２に記載の情報処理装置。
【請求項２４】
前記送信手段により送信される情報には、前記動画を取得するためのアドレス情報が含まれることを特徴とする請求項２２または２３に記載の情報処理装置。
【請求項２５】
前記送信手段により送信される情報には、前記動画の再生位置を示す情報が含まれることを特徴とする請求項２２乃至２４のいずれか１項に記載の情報処理装置。
【請求項２６】
前記送信手段による前記情報の送信の後に、前記動画を示すデータを転送する転送手段とを有することを特徴とする請求項２２乃至２５のいずれか１項に記載の情報処理装置。
【請求項２７】
前記通信手段により通信を開始した際の前記再生手段による前記動画の再生の進行に基づく再生位置は、前記再生手段による前記動画データの再生が中断したタイミングに基づく再生位置であることを特徴とする請求項２２乃至２６のいずれか１項に記載の情報処理装置。
【請求項２８】
前記近距離無線通信は、ＮＦＣであることを特徴とする請求項１７乃至２７のいずれか１項に記載の情報処理装置。
【請求項２９】
データを処理する処理手段と、情報処理装置と無線通信装置との距離が近づくことにより通信が開始される近距離無線通信を行う第１通信手段と、前記データを通信する通信手段であって、前記第１通信手段と異なる第２通信手段とを有する情報処理装置の制御方法であって、
前記処理手段による前記データの処理がエラーとなった際に前記第１通信手段により無線通信装置と通信を開始した場合、前記情報処理装置と通信するためのアドレス情報含む第１情報を、前記無線通信装置に、前記第１通信手段を用いて送信する送信工程と、
前記送信工程における前記第１情報の送信の後に、前記無線通信装置との近距離無線通信により前記第１情報を取得した前記他の情報処理装置から前記アドレス情報を宛先とした通信において前記データを要求された場合、前記データを前記他の情報処理装置に処理させるために、前記データを前記他の情報処理装置に、前記第２通信手段を用いて転送する転送工程と、
を有することを特徴とする情報処理装置の制御方法。
【請求項３０】
情報報処理装置と無線通信装置との距離が近づくことにより通信が開始される近距離無線通信を行う第１通信手段と、前記第１通信手段と異なる第２通信手段とを有する情報処理装置の制御方法であって、
前記第１通信手段により無線通信装置と通信を開始した場合、他の情報処理装置からのデータの処理要求を示す情報であって、前記他の情報処理装置と通信するためのアドレス情報含む第１情報を、前記無線通信装置から、前記第１通信手段を用いて受信する受信工程と、
前記受信工程における前記第１情報の受信の後に、前記アドレス情報を宛先とした通信において前記データを要求し、当該要求に応じて、前記データを前記他の情報処理装置から前記第２通信手段を用いて取得する取得工程と、
前記取得工程において取得した前記データを処理する処理工程と、
を有することを特徴とする情報処理装置の制御方法。
【請求項３１】
請求項１乃至１２及び１６乃至２８のいずれか１項に記載の情報処理装置としてコンピュータを動作させるためのプログラム。